(57)【要約】  様々な内径及び材料の配管を使用して流体を正確に圧送するシステム及び方法を開示する。本開示のポンプは、可撓性チューブの一部分を圧縮・解放して流体を可撓性チューブに沿って流すように構成されたポンピング機構と、計測装置と、真空装置とを備える。計測装置は、可撓性チューブの内径を測定するように構成され、その値が、ポンプのポンプ流量を較正する際に使用される。真空装置は、可撓性チューブの上記一部分を囲繞する容積における周囲圧力を低下させ、それにより、可撓性チューブがポンピング機構により解放された時に可撓性チューブがその本来の外側径に完全に膨張させるように構成されている。
2014505538.tif 000002
【特許請求の範囲】
【請求項１】
非圧縮時内径（ＩＤ）を有する可撓性チューブの一部分を圧縮・解放して流体を該可撓性チューブに沿って流すように構成されたポンピング機構と、
前記可撓性チューブの前記非圧縮時ＩＤを測定するように構成された計測装置と、
前記可撓性チューブの前記一部分を囲繞する容積における周囲圧力を低下させ、それにより、前記可撓性チューブが前記ポンピング機構により解放された時に前記可撓性チューブを前記非圧縮時ＩＤに膨張させるのを助けるように構成された真空装置と
を備えるポンプ。
【請求項２】
医療用流体の点滴を患者に投与するための使い捨ての静脈内（ＩＶ）セットを受容するように構成されたＩＶポンプであり、前記可撓性チューブが、前記ＩＶセットの部品である、請求項１に記載のポンプ。
【請求項３】
実行可能な命令及びデータを記憶するように構成されたメモリと、
前記メモリ、前記計測装置、及び前記ポンピング機構に連結されたプロセッサであって、前記メモリから前記実行可能な命令を読み出し、前記計測装置から前記非圧縮時ＩＤを受信し、選択された流量の入力を受け付け、前記ポンピング機構を動作させるように構成されたプロセッサと
をさらに備え、
前記プロセッサが、前記非圧縮時ＩＤに応じて前記ポンピング機構の動作を調節して前記選択された流量を与える、請求項２に記載のポンプ。
【請求項４】
前記ポンピング機構が、非圧縮時ＩＤ及び前記選択された流量を有する配管と関連付けられた動作速度を有し、
前記プロセッサが、前記非圧縮時ＩＤの二乗の、前記計測装置からの前記非圧縮時ＩＤの二乗に対する比により、前記ポンピング機構の前記動作速度を調節する、請求項３に記載のポンプ。
【請求項５】
前記ポンピング機構、前記計測装置、及び前記真空装置が、範囲内の外側径（ＯＤ）及び未知のＩＤを有する配管を受容するように構成され、前記計測装置及びプロセッサが、自動的に前記配管の前記非圧縮時ＩＤを決定し前記ポンピング機構を動作させて前記選択された流量を与えるように構成されている、請求項４に記載のポンプ。
【請求項６】
前記計測装置が、
内壁をもつ内側チャネル及びＯＤを有する前記可撓性チューブを受け付けるように構成されたレセプタクルと、
前記可撓性チューブの前記ＯＤを測定し、前記ＯＤの測定値を含む信号を供給するように構成された計測器と、
前記内側チャネルの一方側の前記内壁が前記内側チャネルの他方側の前記内壁と接触するまで前記可撓性チューブを圧縮し、該圧縮された可撓性チューブの残りの壁厚を測定し、該残りの壁厚の測定値を含む信号を供給するように構成された計測器と
を備える、請求項１に記載のポンプ。
【請求項７】
実行可能な命令及びデータを記憶するように構成されたメモリと、
前記メモリ及び前記計測器に連結されたプロセッサであって、前記メモリから前記実行可能な命令を読み出し、前記ＯＤの測定値及び前記残りの壁厚の測定値を含む信号を受信し、前記外径の測定値から前記残りの壁厚の測定値を減算することによって前記可撓性チューブの前記非圧縮時ＩＤを計算するように構成されたプロセッサと
をさらに備える、請求項６に記載のポンプ。
【請求項８】
前記計測装置が、カムフォロアに連結された力センサを備える、請求項１に記載のポンプ。
【請求項９】
前記真空装置が、
前記ポンピング機構を囲繞する真空エンクロージャであって、ベース及び取り外し可能なカバーを有し、前記取り外し可能なカバーが、該取り外し可能なカバーを前記ベースに連結させた時に前記ベースを取り外し可能に封止する周辺を有する、真空エンクロージャと、
前記取り外し可能なカバーの前記周辺に位置付けられた第１及び第２シールであって、前記取り外し可能なカバーを取り外した時に該第１及び第２シールが開いて前記可撓性チューブを前記第１シール、前記ポンピング機構、及び前記第２シールを介して装着するのを可能にするように構成され、前記取り外し可能なカバーを前記ベースに連結させた時に各シールが前記可撓性チューブの周囲に周縁シールを形成するように構成された第１及び第２シールと、
前記真空エンクロージャに連結された真空源であって、前記取り外し可能なカバーを前記ベースに連結させた時に前記真空エンクロージャ内部の周囲圧力を低下させるように構成された真空源と
を備える、請求項１に記載のポンプ。
【請求項１０】
非圧縮時内径（ＩＤ）を有する可撓性チューブの一部分を圧縮・解放して流体を該可撓性チューブに沿って流すように構成されたポンピング機構と、
前記可撓性チューブの前記一部分を囲繞する容積における周囲圧力を低下させ、それにより、前記ポンピング機構により解放された時に前記可撓性チューブを前記非圧縮時ＩＤに膨張させるように構成された真空装置と
を備えるポンプ
【請求項１１】
医療用流体の点滴を患者に投与するために使用される種類の使い捨てのＩＶセットを受容するように構成されたＩＶポンプであり、前記可撓性チューブが、前記ＩＶセットの部品である、請求項１０に記載のポンプ。
【請求項１２】
実行可能な命令及びデータを記憶するように構成されたメモリと、
前記メモリ、前記計測装置、及び前記ポンピング機構に連結されたプロセッサであって、前記メモリから前記実行可能な命令を読み出し、前記計測装置から前記非圧縮時ＩＤを受信し、選択された流量の入力を受け付け、前記ポンピング機構を動作させるように構成されたプロセッサと
をさらに備え、
前記プロセッサが、前記非圧縮時ＩＤに応じて前記ポンピング機構の動作を調節して前記選択された流量を与える、請求項１０に記載のポンプ。
【請求項１３】
前記ポンピング機構が、非圧縮時ＩＤ及び前記選択された流量を有する配管と関連付けられた動作速度を有し、
前記プロセッサが、前記非圧縮時ＩＤの二乗の、前記計測装置からの前記非圧縮時ＩＤの二乗に対する比により、前記ポンピング機構の前記動作速度を調節する、請求項１２に記載のポンプ。
【請求項１４】
前記真空装置が、
前記ポンピング機構を囲繞する真空エンクロージャであって、ベース及び取り外し可能なカバーを有し、前記取り外し可能なカバーが、該取り外し可能なカバーを前記ベースに連結させた時に前記ベースを取り外し可能に封止する周辺を有する、真空エンクロージャと、
前記取り外し可能なカバーの前記周辺に位置付けられた第１及び第２シールであって、前記取り外し可能なカバーを取り外した時に該第１及び第２シールが開いて前記可撓性チューブを前記第１シール、前記ポンピング機構、及び前記第２シールを介して装着するのを可能にするように構成され、前記取り外し可能なカバーを前記ベースに連結させた時に各シールが前記可撓性チューブの周囲に周縁シールを形成するように構成された第１及び第２シールと、
前記真空エンクロージャに連結された真空源であって、前記取り外し可能なカバーを前記ベースに連結させた時に前記真空エンクロージャ内部の周囲圧力を低下させるように構成された真空源と
を備える、請求項１０に記載のＩＶポンプ。
【請求項１５】
非圧縮時内径（ＩＤ）を有する可撓性チューブの一部分を圧縮・解放して流体を該可撓性チューブに沿って流すように構成されたポンピング機構と、
前記可撓性チューブの前記非圧縮時ＩＤを決定するように構成された計測装置と
を備えるポンプ。
【請求項１６】
医療用流体の点滴を患者に投与するために使用される種類の使い捨てのＩＶセットを受容するように構成されたＩＶポンプであり、前記可撓性チューブが、前記ＩＶセットの部品である、請求項１５に記載のポンプ。
【請求項１７】
前記計測装置が、
内壁をもつ内側チャネル及びＯＤを有する前記可撓性チューブを受け付けるように構成されたレセプタクルと、
前記可撓性チューブの前記ＯＤを測定し、前記ＯＤの測定値を含む信号を供給するように構成された計測器と、
前記内側チャネルの一方側の前記内壁が前記内側チャネルの他方側の前記内壁と接触するまで前記可撓性チューブを圧縮し、該圧縮された可撓性チューブの残りの壁厚を測定し、該残りの壁厚の測定値を含む信号を供給するように構成された計測器と
を備える、請求項１６に記載のポンプ。
【請求項１８】
実行可能な命令及びデータを記憶するように構成されたメモリと、
前記メモリ及び前記計測器に連結されたプロセッサであって、前記メモリから前記実行可能な命令を読み出し、前記ＯＤの測定値及び前記残りの壁厚の測定値を含む信号を受信し、前記ＯＤの測定値から前記残りの壁厚の測定値を減算することによって前記可撓性チューブの前記非圧縮時ＩＤを計算するように構成されたプロセッサと
をさらに備える、請求項１７に記載のポンプ。
【請求項１９】
内径が未知の可撓性チューブを使用して流体を圧送する方法であって、
可撓性チューブの一部分がポンピング機構に連結されるように前記可撓性チューブをポンプ内に載置するステップであって、前記ポンピング機構が、前記可撓性チューブの前記一部分を操作して流体を前記可撓性チューブに沿って流すように構成されている、ステップと、
前記可撓性チューブのＯＤを自動的に測定するステップと、
内側チャネルの内壁が前記内側チャネルの他方側の内壁と接触するまで前記可撓性チューブを自動的に圧縮するステップと、
前記圧縮された可撓性チューブの残りの厚さを自動的に測定するステップと、
前記ＯＤから前記残りの厚さを減算することによって前記可撓性チューブの非圧縮時ＩＤを自動的に計算するステップと、
流体を特定の流量で圧送するように前記ポンピング機構の動作パラメータを自動的に調節するステップと
を含む方法。
【請求項２０】
前記ポンピング機構及び前記可撓性配管の前記一部分の周囲の封止された真空エンクロージャに空気を送るステップと、
前記真空エンクロージャ内の圧力を低下させるステップと、
前記ポンピング機構を作動させて前記可撓性チューブの前記一部分を操作するステップと
をさらに含む、請求項１９に記載の方法。
【請求項２１】
弾性が未知の可撓性チューブを使用して流体を圧送する方法であって、
可撓性チューブの一部分がポンピング機構に連結されるように前記可撓性チューブをポンプに装着するステップであって、前記ポンピング機構が、前記可撓性チューブの前記一部分を操作して流体を前記可撓性チューブに沿って流すように構成されている、ステップと、
前記ポンピング機構及び前記可撓性配管の前記一部分の周囲に封止された真空エンクロージャを形成するステップと、
前記真空エンクロージャ内の圧力を低下させるステップと、
前記ポンピング機構を作動させて前記可撓性チューブの前記一部分を操作するステップと
を含む方法。
【発明の詳細な説明】
【技術分野】
【０００１】
本開示は、概して、静脈内（ＩＶ）流体を圧送するシステム及び方法に関し、特に、直径が不明であり且つ／又は非圧縮時形状に十分に回復しない配管を使用するようになっているＩＶポンプに関する。
【背景技術】
【０００２】
輸液ポンプは、医療の世界において、静脈内（ＩＶ）流体を正確に投与する方法として一般的になっている。高く位置づけられた流体容器と共に使用する単純なローラークランプの代わりに、ポンプを使用してＩＶ流体の流れを制御することによって、患者への流体の送達量をより正確に且つ一貫して制御できる。
【０００３】
点滴筒、配管、バルブ、継手、及び、流体容器を患者に接続するルアー継手のアセンブリは、「ＩＶセット」と称してもよい。ＩＶポンプと共に使用するように設計されたＩＶセットは、このセットに組み込まれた圧送セグメント又はチャンバを有してもよく、図１に示すように、圧送セグメントは、ＩＶポンプ内の区画に嵌合される。使用時、医療用流体は、ＩＶ流体容器１４から、ＩＶセット１８の配管を通じて、患者１０の腕に挿入された点滴針に流れる。ＩＶセット１８は、ＩＶポンプ１２の圧送モジュール２０を貫通し、ＩＶポンプ１２は、制御ユニット１６の制御下で圧送セグメントに作用して医療用流体を特定の流量で患者１０に送るアクチュエータ（不図示）を含む。
【０００４】
蠕動ＩＶポンプのポンプ流量の精度に影響を及ぼす要因の一つは、ＩＶセットの配管の内径である。第２の要因は、配管の材料であり、配管は、チューブが最大容積まで再充填されるよう圧縮と圧縮との間においてその非圧縮時形状を完全に回復しなければならない。高弾性材料から形成された配管を有し内径が正確に制御された精密ＩＶセットは、高価であり、且つ一部の地域では手に入れるのが難しい。従ってＩＶポンプには、「汎用」の配管、すなわち、内径及び／又は外形が精密に制御されていない、あるいは、圧縮「永久歪み」を有し非圧縮時形状に完全には戻らない材料から形成された配管を使用できることが要望されている。
【発明の概要】
【発明が解決しようとする課題】
【０００５】
汎用配管を使用しながら蠕動ポンプを使用して流体の正確な送達量を実現するためには、配管を自動的に測定するとともに、圧縮ストローク間において配管を完全に膨張させるシステムを提供すると有利である。本明細書に開示のシステム及び方法によって、少なくともこれらの利点の幾つかが提供される。
【課題を解決するための手段】
【０００６】
可撓性チューブの一部分を圧縮・解放して流体を可撓性チューブに沿って流すように構成されたポンピング機構と、計測装置と、真空装置とを備えるポンプが開示される。計測装置は、可撓性チューブの内径を測定し、それによりポンプのポンプ流量を較正するように構成されている。真空装置は、可撓性チューブの上記一部分を囲繞する容積における周囲圧力を低下させ、それにより、ポンピング機構により解放された時に可撓性チューブがその本来の外側径に完全に膨張させるように構成されている。
【０００７】
可撓性チューブの一部分を圧縮・解放して流体を可撓性チューブに沿って流すように構成されたポンピング機構と、可撓性チューブの上記一部分を囲繞する容積における周囲圧力を低下させ、それにより、ポンピング機構により解放された時に可撓性チューブがその本来の外側径に完全に膨張させるように構成された真空装置とを備えるポンプが開示される。
【０００８】
可撓性チューブの一部分を圧縮・解放して流体を可撓性チューブに沿って流すように構成されたポンピング機構と、可撓性チューブの内径を測定し、それによりポンプのポンプ流量を較正するように構成された計測装置とを備えるポンプが開示される。
【０００９】
内径が未知の可撓性チューブを使用して流体を正確に圧送する方法が開示される。この方法は、可撓性チューブの一部分がポンピング機構に連結されるように可撓性チューブをポンプに載置するステップを備え、ポンピング機構が、可撓性チューブの上記一部分を操作して流体を可撓性チューブに沿って流すように構成されている。ポンプは、可撓性チューブの外側径を自動的に測定し、そして、内側チャネルの内壁が内側チャネルの他方側の内壁に接触するまで可撓性チューブを圧縮して、該圧縮された可撓性チューブの残りの厚さを測定する。これらの測定値から、ポンプは、外径から残りの厚さを減算することによって可撓性チューブの内径を計算し、特定の流量で流体を圧送するようにポンピング機構の動作パラメータを自動的に調節する。
【００１０】
内径が未知の可撓性チューブを使用して流体を正確に圧送する方法が開示される。この方法は、可撓性チューブの一部分がポンピング機構に連結されるように可撓性チューブをポンプに載置するステップを備え、ポンピング機構が、可撓性チューブの上記一部分を操作して流体を可撓性チューブに沿って流すように構成されている。そして、ポンプはポンピング機構及び可撓性配管の上記一部分の周囲に封止された真空エンクロージャを形成し、真空エンクロージャ内の圧力を低下させる。そして、ポンプは、ポンピング機構を作動させて可撓性チューブの上記一部分を操作する。
【００１１】
更なる理解を提供するために含められ本明細書に組み込まれてその一部を構成する添付の図面は、本開示の実施例を説明し、記載と共に本開示の実施例の原理を説明するためのものである。
【図面の簡単な説明】
【００１２】
【図１】ＩＶポンプを使用したＩＶセットを介して医療用流体を投与される患者を示す。
【図２】先行技術に係るＩＶセットの構造を示す。
【図３Ａ】先行技術に係る蠕動ポンピング機構の構造を示す。
【図３Ｂ】図３Ａの蠕動ポンピング機構の動作を示す。
【図４】本開示のある態様に従って構成されたポンピング機構の周りに真空状態を作る真空装置を示す。
【図５】本開示のある態様に係る本開示のＩＶポンプと共に使用される可撓性チューブの一部分を示す。
【図６Ａ】本開示のある態様に係る可撓性チューブを膨張させる際の真空の機能を例示する。
【図６Ｂ】本開示のある態様に係る可撓性チューブを膨張させる際の真空の機能を例示する。
【図７Ａ】本開示のある態様に係る圧力センサの断面を詳細に示す。
【図７Ｂ】本開示のある態様に係る圧力センサの断面を詳細に示す。
【図８】本開示のある態様に係る、閉位置における図４の真空エンクロージャを示す。
【図９】本開示のある態様に係る例示的な分割シールを示す。
【図１０Ａ】本開示のある態様に係る、図１の分割シールの構造の詳細を示す。
【図１０Ｂ】本開示のある態様に係る、図１の分割シールの動作の詳細を示す。
【図１１Ａ】本開示のある態様に係る例示的な計測装置を示す。
【図１１Ｂ】本開示のある態様に係る例示的な計測装置を示す。
【図１１Ｃ】本開示のある態様に係る計測装置の他の実施例を示す。
【図１２】本開示のある態様に係る計測装置の他の実施例を示す。
【図１３】本開示のある態様に係る計測デバイスの他の実施例を示す。
【図１４】本開示のある態様に係る真空装置及び計測装置を有する例示的なＩＶポンプのブロック図を示す。
【図１５】本開示のある態様に係る流体を圧送する例示的な方法を説明するフローチャートを示す。
【実施例】
【００１３】
本開示の方法及びシステムによって、内径及び／又は外形が未知の可撓性チューブ、あるいは、圧縮と圧縮との間においてその非圧縮時形状を完全に回復できる弾性を有さない材料から形成された可撓性チューブ、あるいは、一定時間後又は使用後圧縮永久歪みを有する可撓性チューブを使用して、流体を正確に圧送することができる圧送システムが提供される。
【００１４】
以下の詳細な説明では、本開示を完全に理解できるように、数多くの特定の詳細を記載している。しかしながら、その特定の詳細の一部なしで本開示の実施例を実施してもよいことは、当業者にとって明らかであろう。他の例では、開示内容を不明瞭にしないよう、周知の構造や技術は詳細に示していない。
【００１５】
本明細書に開示の方法及びシステムを、医療環境における看護師による点滴としての医療用流体の投与に関して提示する。しかしながら、同じ方法及びシステムを、流体を取り扱い圧送する他の分野で使用してもよいことは、当業者にとって明らかであろう。本開示におけるいかなる記載も、特にそのように説明されていない限り、本明細書に開示の方法及びシステムの用途を医療環境に限定するように解釈されるべきではない。
【００１６】
図１は、ＩＶポンプ１２を使用するＩＶセット１８を介して医療用流体を投与される患者１０を示す。この例では、流体は、一般に、ポンプ入口において正圧を与えるポンプ１２の上方に吊るされた可撓性容器１４に供給される。本明細書に示すＩＶポンプ１２は、制御ユニット１６と圧送モジュール２０とを有する。ＩＶセット１８は、流体容器１４を患者１０に接続し、圧送モジュール２０を貫通している。医療用流体の流量は、制御ユニット１６の制御下において、圧送モジュール２０の容積式圧送動作によって、容量的に制御される。
【００１７】
図２は、先行技術に係るＩＶセット１８の構造を示す。このＩＶセット１８は、蠕動ポンプと共に使用するように構成され、蠕動ポンプに嵌合される圧送セグメントは、ブラケット８で示す一本の配管及び継手である。このセグメントは、一般的に、シリコーンゴムや高可塑化ポリ塩化ビニル（ＰＶＣ）といった特別な材料を一般的に使用して形成される。これらの材料を使用して、容積式機構が接触していない時にその非変形時形状に回復できるだけの高い寸法安定性及び弾性を提供し、それにより、セットからセットへの、また、単一のセットの使用期間において精度を確保する。一本の可撓性チューブ４が、圧送セグメント８の各端部に取り付けられる。容器スパイク２が、一方の可撓性チューブ４の他端に取り付けられる。ここで、容器スパイク２は、ＩＶ容器１４に取り付けられて該ＩＶ容器１４上の接続継手の一部であるシールを破るように構成された標準的なＩＶ継手である。代替の接続手段としては、無針ルアー継手や、流体源に接続するのに適した他の種類の流体コネクタがある。この例において、他方の可撓性チューブ４の他端には、図１に示すように点滴針に接続するのに適切な無針ルアーコネクタ６がある。ある実施例では、他の種類のコネクタ及びデバイスを、ルアーコネクタ６の代わりに取り付ける。また、クランプ９が示されている。クランプ９は、完全に閉じると、該クランプ９が取り付けられる可撓性チューブ４の流通を遮断する。これは、ＩＶセット１８を組み付けたり、ポンプから取り外したりする際に、流れや漏出を防止するために使用される。ある実施例では、用途や治療の種類に応じて、他の種類のコネクタ及びデバイスを追加してＩＶセットの多くの他の構成を作ることができる。
【００１８】
図３Ａは、先行技術に係る蠕動ポンピング機構２２の構造を示す。一連のカム２３が、隣接するカム間でカムの配向が徐々に変位するように、シャフト２７に沿って配置される。各カム２３は、対応するカムフォロア２４を有し、カム２３が回転すると、そのカムフォロア２４が図３Ａの配向に沿って「上方」及び「下方」に移動する。可撓性チューブ４の一部が、プラテン２５の上でカムフォロア２４の下に載置される。カムフォロア２４とプラテン２５との間隔は、カムフォロア２４が完全に延出した又は「下方」の位置にある時に、カムフォロア２４が可撓性チューブ４を完全に圧縮するように選択される。
【００１９】
図３Ｂは、図３Ａに示す蠕動ポンピング機構２２の動作を概略的に示す。図３Ａのシャフト２７が回転すると、各カムフォロア２４が、対応するカム２３に制御されて図３Ｂの配向に沿って上方及び下方に移動する。図３Ｂから分かるように、完全に延出又は下降してチューブ４を共に摘む２つのカムフォロア２４によって、チューブ４の内側チャネル５内部に容積２６が形成される。徐々にオフセットするカム２３の配向によって、波状運動がカムフォロア２４に亘って進行して、容積２６をその可撓性チューブ４に沿って移動させる。カムフォロア２４のそれぞれが「上方」の位置に退避すると、可撓性チューブ４が回復・膨張する。典型的な精密ＩＶセットの材料は一般に高い弾性を有するように選択される。これにより、チューブ４がその回復中に完全且つ繰り返し可能にその最大断面に膨張して、容積２６がポンピング機構２２に沿って形成され運ばれる際にその正確な容積を確保できるようにする。可撓性チューブ４が、その非変形形状を完全に回復できないと、容積２６が減少し、ポンピング精度も低下する。圧縮と圧縮との間に完全に回復するために必要なレベルの弾性を有する材料は、他の材料よりも高価な傾向があるため、この弾性材料から形成されるＩＶセットは、非弾性材料から形成する場合よりもコストが高くなる傾向がある。配管の弾性を増加させるために配管材料の一部に化学的可塑剤を加えるが、こうした化学物質の一部が患者に到達する可能性があるという臨床上の懸念が認識されている。
【００２０】
図４は、本開示のある態様に従って構成されたポンピング機構２２の周りに真空状態を作る真空装置３０を示す。ＩＶポンプ１２は、可撓性チューブ４の一部分を操作して流体を可撓性チューブ４にそって流すように構成されたポンピング機構２２を含む。図４の例において、可撓性チューブ４の該一部分は、多要素ポンピング機構２２に亘る直線セグメントである。回転アーム上のローラ等の他の種類の蠕動ポンピング機構３２を使用する他の実施例において、可撓性チューブ４の該一部分は、円形であってもいいし、他の非直線経路に追従するようにしてもよい。
【００２１】
真空装置３０は、固定パネル４０と可動パネル４２とを備える。この例において、固定パネル４０及び可動パネル４２は、ヒンジ接続（図４において接続は不図示）され、可動パネル４２を移動して固定パネル４０と接触させた時に互いに対して封止するように構成された周辺シール３６Ａ及び３６Ｂを有する。周辺シール３６Ａ，３６Ｂに沿う位置に位置付けられた２つの分割シール３４があり、各分割シール３４は、固定パネル４０に連結された分割シールセグメント３４Ａと、可動パネル４２に連結された分割シールセグメント３４Ｂとを有する。分割シールセグメント３４Ａ及び３４Ｂは、可動パネル４２が固定パネル４０と接触すると、互いに接触し、可撓性チューブ４の周囲にシールを形成する。周辺シール３６Ａ，３６Ｂ及び分割シール３４の組み合わせによって、真空エンクロージャ３８内に真空状態を作り出すことができるように固定パネル４０と可動パネル４２との間に気密シールが得られる。分割シール３４について、図８並びに９Ａ及び９Ｂを参照してより詳細に説明する。分割シールは、ポンピングフィンガを覆うことによって、ポンピングフィンガ機構を介して空気が漏出しないようにする膜の連続する部分として形成することができる。この例において、ＩＶポンプ１２はまた、ポンピング機構２２の上流及び下流に２つの圧力センサ４０Ａ及び４０Ｂを含む。圧力センサ４０Ａ及び４０Ｂは、可撓性チューブ４の閉塞や流体源の不足といった問題を検出するために使用される。
【００２２】
図５は、本開示のある態様に係る本開示のＩＶポンプ１２と共に使用される可撓性チューブ４の一部分を示す。この例において、可撓性チューブ４は、外側径５０を有する断面円形状であり、内壁４６を有する内側チャネル５を有する。ここで、内側チャネル５は、内径４８を有する。
【００２３】
図６Ａ及び６Ｂは、本開示のある態様に係る可撓性チューブ４を膨張させる際の真空の機能を例示する。可撓性チューブ４の内側チャネル５は、この例の目的では周囲圧力と考えられる圧力を有する。幾つかの実施例において、流体源１４がポンプ１２の下方にある場合、この圧力をより低くすることによって、ＩＶポンプ１２の高さの配管内部に負圧水頭を作り出すようにしてもよい。現在のＩＶポンプでは、この結果、配管４が一部破壊される可能性がある。可撓性チューブ４を囲繞する真空エンクロージャ３８では、減圧が作り出されており、この減圧は、内側チャネル５内部の圧力よりも低い。図５Ａにおいて、可撓性チューブ４は部分的に圧縮され、内側チャネル５は断面積５２を有する。内側チャネル５内部の圧力と可撓性チューブ４の外部の減圧との差によって、内壁４６に対して均一な力が作り出され、これにより、可撓性チューブ４を膨張させて、図５Ｂに示すように内側チャネルの断面の面積を最大化する。ここで、内側チャネル５は、図５Ａの部分的に平坦化された可撓性チューブ４の面積５２よりも大きな断面積５４を有する。断面積５４は、可撓性チューブ４が該可撓性チューブ４の本来の円形形状構成と考えられる円形の外形を取る時に最大化される。
【００２４】
図７Ａ及び７Ｂは、本開示のある態様に係る圧力センサ４０Ａ，４０Ｂの断面を詳細に示す。圧力センサ４０Ａ，４０Ｂは実際には、チューブの壁力と流体の力との合計を測定する「力センサ」である。力センサの設計によって、真空が存在する有利性をさらに利用にできる。従来、チューブ４の壁のセンサ４０Ａ，４０Ｂとの接触を維持するために十分な壁力が存在する必要があった。これは、ポンプ１２が患者１０よりも高く位置する場合のようにセンサ４０Ａ，４０Ｂが負圧を検出しなければならない場合や、吸入経路において容器１４とポンプ１２との間の閉塞を検出する場合に必要である。この真空設計では、図７Ａ及び７Ｂに示すように、壁力は「全く」存在する必要がなく、それでもチューブは膨張しようとし、センサ３０Ａ及び４０Ｂと、反対側の壁２５との間に捉えることができる。図７Ａは、可撓性エレメント４３Ａの撓みを検知して力を測定するセンサ４０Ａを示す。図７Ｂでは、バネ４３Ｃに組み付けられた移動エレメント４３Ｂを使用し、力と相関している移動エレメント４３Ｂの変位を測定する。壁力の必要性を低減することによって、好適なチューブ４の設計を、消防ホースと同様に、薄壁又は高弾性壁を用いて選択できる。このチューブ４を用いることにより、典型的にはチューブ４が粘弾性的に変形すると経時的に変化する壁力の大きさの不確実性が低下するため、センサ４０Ａ，４０Ｂの精度が高まる。また、センサ４０Ａ，４０Ｂは、検知力を圧力に正確に変換するために、真空ゲージ圧、すなわち周囲圧力以下の圧力を測定する必要があることに注意されたい。
【００２５】
図８は、本開示のある態様に係る、閉位置における図４の真空装置３０を示す。可動パネル４２は、図４に示すようなその開位置から回転されて、固定パネル４０と接触する。真空エンクロージャ３８が、可撓性チューブ４が周辺シール３６Ａ，３６Ｂを横断する点において可撓性チューブ４を囲繞する周辺シール３６Ａ，３６Ｂ及び分割シール３４Ａ，３４Ｂの協働により、ポンピング機構２２の周りに形成されている。
【００２６】
可動パネル４２の破断図において、例示的な真空機構６０が見える。真空機構６０は、この例では固定パネル４０内に形成された可撓性パネルを変形させることにより、真空エンクロージャ３８内の気圧を低下させる。ここで、この変形により、真空エンクロージャ３８の容積が膨張する。この膨張を矢印６０Ａで示す。真空エンクロージャ３８内の空気の量が固定されているため、真空エンクロージャ３８の容積の膨張によって、真空エンクロージャ３８内の気圧が低下する。ある実施例において、真空機構６０の変形可能パネルは、可動パネル４２を固定パネル４０に対して回転させると機械的に作動される。ある実施例において、真空機構６０の変形可能パネルは、手動レバー（不図示）によって作動させる。ある実施例において、真空機構６０の変形可能パネルは、ソレノイド又はモータ（不図示）によって作動させる。他の実施例において、真空エンクロージャ３８内の空気の圧力は、空気ポンプ（不図示）を使用して真空エンクロージャ３８から空気を抜くことによって低下させる。ある実施例において、チェックバルブ（不図示）は、周期的ポンピング機構（不図示）によってチェックバルブを介して空気を抜くことができるように位置付けられる。
【００２７】
図９は、本開示のある態様に係る例示的な分割シール３４を示す。この例において、分割シールは、３つの部分Ｏリング６２Ａ，６２Ｂ，及び６２Ｃから形成される。部分Ｏリング６２Ａ及び６２Ｃは、図４の分割シールセグメント３４Ａのような分割シールセグメントの一部であり、部分ａリング６２Ｂは、分割シールセグメント３４Ｂと同様の対応する分割シールセグメントの一部である。図８の実施例において、部分ａリング６２Ａは、部分ａリング６２Ａと６２Ｃとの間に位置付けられ、両方の部分Ｏリング６２Ａ及び６２Ｃと、側面領域６４において接触し、分割シール３４を完全に貫通するボア６８を形成している。ボア６８は、この例において可撓性チューブ４の外径５０よりも若干小さい内径７０を有する。ある実施例において、シールは、ある範囲の配管の直径、例えば０．１２〜０．１７インチ（０．３０〜０．４３センチメートル）の外径（ＯＤ）を十分に収容できるようになっている。部分ａリング６２Ａ〜６２Ｃは、この例において、可撓性チューブ４の周りで変形して可撓性チューブ４の外周に連続的なシールを形成する柔らかいエラストマーから形成される。ある実施例において、部分Ｏリング６２は、一対の対向する部分Ｏリング６２、例えば部分ａリング６２Ａ及び６２Ｂが切断面６６で互いに接触するような大きさを有して配向されるように構成されている。ある他の実施例において、部分ａリング６２は、円形断面と比べて互いに対して且つ可撓性チューブ４に対してより大きな接触面積を提供する矩形断面を有する。ある他の実施例において、分割シールセグメント３４Ａ及び３４Ｂは、図９に示すよりも多い又は少ない部分ａリングを備える。ある他の実施例において、追加継手（不図示）が可撓性チューブの周りに配置されて、鉛管継手に対して剛性の金属製配管を封止するのに使用されるフェルールと概念的に同様に、可撓性チューブ４をＩＶポンプ１２に配置する際に封止性を向上させる。
【００２８】
図１０Ａは、本開示のある態様に係る図１の分割シール３４の構造を詳細に示す。この実施例において、分割シールセグメント３４Ａは、２つの部分ａリング６２を備え、分割シールセグメント３４Ｂは、３つの部分Ｏリング６４を備える。部分Ｏリング６２は、分割シールセグメント３４Ａ及び３４Ｂを一つに合わせた時に互いに連結されるように構成されている。
【００２９】
図１０Ｂは、本開示のある態様に係る図１の分割シール３４の動作を詳細に示す。分割シールセグメント３４Ａ及び３４Ｂが、可撓性チューブ４の周りで一つに合わせられている。部分Ｏリング６２によって可撓性チューブ４の周りに連続的なシールが形成されていることが分かる。
【００３０】
図１１Ａ及び１１Ｂは、本開示のある態様に係る例示的な計測装置８０を示す。この例において、可撓性チューブ４は、固定パネル４０に対して位置付けられる。計測装置８０は、シャフト８８に装着された先端８２を備える。ここで、シャフト８８は、力センサ８４を含む。先端８２は、アクチュエータ８６の作用によって、前方すなわち可撓性チューブ４にむかって移動される。ある実施例において、シャフト８８は、ねじ込まれてその回転が抑制されており、アクチュエータ８６は、回転ナット（不図示）を備える。この回転ナットが回転すると、シャフト８８を軸方向に移動させる。図１１Ａにおいて、先端８２は、該先端８２が可撓性チューブ４と接触するまで前方に移動させる。先端８２と固定パネル４０との間の距離は、可撓性チューブ４の外径５０である。計測装置８０のこの測定は、可撓性チューブ４が存在しない時に先端８２を固定パネル４０に直接接触させることによって較正することができる。ある実施例において、先端８２は、先端８２と可撓性チューブ４との接触を検知する検出器（不図示）を備える。ある実施例において、この測定は、可撓性チューブ４の周りの圧力を低下させて可撓性チューブ４を完全に膨張させた後にのみ行われる。
【００３１】
図４の真空装置３０によってチューブ４の周りに作りだされた真空は、図１１Ａの計測装置８０と協働する。この真空によって、チューブ４内の内圧が最膨張構成に達すると、チューブ４は円形の外形形状をとるように促される。これにより、一回の直径測定の信頼性が向上し、チューブ４の完全に膨張した状態の直径を正しく表すことができる。
【００３２】
図１１Ｂにおいて、計測装置８０は、可撓性チューブ４の壁厚を測定するように構成されている。先端８２は、可撓性チューブ４が潰れて、先端８２と固定パネル４０との間の距離９０が可撓性チューブ４の壁の厚さの２倍になるまで前進させられている。ある実施例において、可撓性チューブ４の内面４６が接触する距離９０は、壁の接触後、力がより速い速度で増加し始めるため、力センサ８４によって検知できる。従って、内径４８は、以下に示すように、測定されたＯＤ５０から測定値９０を減算することによって計算できる。
（１）ＩＤ＝ＯＤ−（２×壁）
【００３３】
図１１Ｃは、本開示のある態様に係る計測装置８１の他の実施例を示す。本実施例において、先端８２は、カムフォロア２４Ａの一つの内部の力センサ（図１１Ｃでは不可視）に取り付けられる。カムフォロアは、図１１Ａのアクチュエータ８６と同様に移動させることができ、カムフォロア２４Ａを、先端８２Ａがチューブ４に接触するまで前進させる。
【００３４】
図１２は、本開示のある態様に係る計測装置９２の他の実施例を示す。この実施例では、２つの計測器８０を採用して、可撓性チューブ４の非真円状態を補正するために、２つの垂直方向における外側径５０を測定する。図１１Ａに示す状況と同様に、両プローブの両先端を該先端が可撓性チューブ４に接触するまで前進させ、２つの測定により、図１１Ａの測定構成から推測されるように真円ではない可撓性チューブ４を補正する。図１１のシステムは、図１１Ａのシステムと比べ、より正確だがより複雑である。
【００３５】
図１３は、本開示のある態様に係る計測デバイス９２の他の実施例を示す。本実施例において、発光素子アレイ９４が、可撓性チューブ４の一方側に位置付けられ、光検出素子９８アレイが、発光アレイ９４と平行に、可撓性チューブ４の他方側に位置付けられる。本実施例において、単一の発光素子９４Ａを作動させてビーム９６を出射する。光検出素子９８の一部で、ビーム９６を検出する一方、可撓性チューブ４が、ビームがそれ以外の光検出素子９８に達するのを遮断する。他の発光素子９４を、ビーム９６が可撓性チューブ４の両側の光検出素子９８に達するまで、個々に作動させる。その上で、可撓性チューブ４の直径を、計測デバイス９２の形状、並びに、発光素子及びビーム９６を受光する光検出素子の位置の上方を用いて計算する。
【００３６】
図１４は、本開示のある態様に係る真空装置３０及び計測装置８０を有する例示的なＩＶポンプ１２のブロック図である。ＩＶセット１８が、医療用流体１４源と患者１０との間に、ポンピング機構２２を貫通したＩＶセット１８の可撓性チューブ４の一部分で連結されている。真空エンクロージャ３８が、ポンピング機構２２を包容している。真空源１２０が、真空エンクロージャ３８に接続されている。この例では、計測装置８０が、真空エンクロージャ３８の内部に含まれ、可撓性チューブ４に連結されて、該計測装置８０で、この例では可撓性チューブ４のＯＤ５０及び圧縮厚さ９０を測定するようになっている。ある実施例において、計測装置８０は、真空エンクロージャ３８の外部にある。また、真空装置３０は、真空エンクロージャ３８の内部に位置付けられた圧力センサ４０Ａ，４０Ｂ及びエアインライン（ａｉｒ−ｉｎ−ｌｉｎｅ）センサ４１を含む。ＩＶポンプ１２は、ネットワーク１１５を介してメモリ１１０と計測装置８０とに連結されたプロセッサ１０５を備える。ここで、プロセッサ１０５は、メモリ１１０に記憶された実行可能な命令を受信し、計測装置８０から信号を受信し、可撓性チューブ４のＩＤを計算する。ある他の実施例において、プロセッサ１０５、メモリ１１０、及び計測装置８０は、ＲＳ−２３２シリアル通信リンクや直接並列バスリンクといった当業者にとって既知の様々な方法のいずれかによって相互接続される。
【００３７】
図１５は、本開示のある態様に係る例示的な流体の圧送方法を示すフローチャートである。ステップ１０５における開始時、使用者は、可撓性チューブ４を流体１４源に接続し、ポンピング機構２２を備えるポンプ１２内に可撓性チューブ４の一部分を載置する。ポンピング機構２２は、可撓性チューブ４の上記一部分を操作して流体を圧送するように構成されている。ステップ１１０において、使用者は、ポンピング機構２２の周りのポンプ１２の真空エンクロージャ３８を閉じ、真空エンクロージャ３８内の気圧を低下させる。また、ポンプ１２は計測装置８０を備え、この例において、計測装置８０は、ステップ１１５において可撓性チューブ４のＯＤ５０及び圧縮厚さ９０を測定する。ステップ１２０において、計測装置８０に連結されたプロセッサ１０５が、計測装置から信号を受信し、可撓性チューブ４のＩＤ４８を計算する。そしてプロセッサ１０５は、ステップ１２５において、ＩＤ４８を有するこの特定の可撓性チューブ４を用いて流体を正確に圧送できるようにポンプ１２を構成する。使用者は、ステップ１３０において圧送を開始し、ステップ１３５においてポンプの操作を続ける。これは、圧送が完了するまで続けられ、完了後、判断ブロック１４０から「ＹＥＳ」経路にそって分岐して終了する。圧送が完了していない場合には、判断ブロック１４０から「ＮＯ」経路に沿って分岐し、ステップ１３５に戻って流体の圧送を続ける。
【００３８】
まとめに、蠕動ポンプと内径及び材料が未知の可撓性チューブとを使用して流体を正確に圧送するシステム及び方法が開示される。可撓性チューブの周りに気圧を低下させたエンクロージャを作ることにより、チューブを、可撓性チューブ内部の流体と可撓性チューブ外部の低下させた圧力との圧力差によって、蠕動ポンピング機構の圧縮サイクル間において完全に膨張させることができる。可撓性チューブの外側径及び壁厚を自動的に計測することによって、チューブの内径を計算することができ、使用する特定の配管で正確に圧送できるようにポンプを較正することが可能になる。併せて、これらシステム及び方法により、そのシステム及び方法を備えるＩＶポンプによって「汎用」の配管、すなわちＩＤが特定の値に精密に制御されていない配管や配管の材料がそれ自体で完全膨張形状に戻るだけの十分な弾性を有さない配管を使用してＩＶ流体を正確に送達させることが可能になる。
【００３９】
これらの同じ方法及びシステムは、本明細書で例として使用した数本の配管を圧縮させる蠕動ポンプとは別に、他の種類のポンプ及び装置に適用してもよい。例えば、の一部であるカセット内に形成された半球形の圧送チャンバを操作するＩＶポンプに真空装置を採用して圧送チャンバを完全に膨張させることができ、あるいは、計測装置を採用して圧送チャンバの実際の高さを測定することができる。同様に、ナウメータ（ｎｏｗ  ｍｅｔｅｒ）等の他の種類の装置を、計測装置を利用して、流体が流れる配管の精密な内径を知ることによって改良することができる。
【００４０】
ここまでの説明は、当業者が本明細書に記載の様々な態様を実施するのを可能にするために提供されたものである。上述の記載では、最良の形態及び／又は他の例として考えられるものを説明したが、これらの態様に対する様々な変更が当業者には当然明らかであること、また、本明細書に定義された包括的な原理を他の態様に適用してもよいことは理解されよう。従って、特許請求の範囲は、本明細書に示した態様に限定されることを意図したものではなく、言語の請求項と一致する完全な範囲を与えることを意図したものであり、単数の要素に対する参照は、特に説明しない限り「唯一」を意味せず、「１つ以上」を意味することを意図している。特に明記しない限り、「一組」及び「幾つかの」という表現は、１つ以上を示す。男性の代名詞（例えば「彼の」）は、女性及び中性（「彼女の」及び「その」）も含み、またその逆も然りである。見出し及び副見出しは、いずれも便宜上使用するものであり、本発明を限定するものではない。
【００４１】
本開示の処理におけるステップの特定の順序又は階層は、例示的な手法の実例であると理解されよう。設計上の嗜好に基づき、処理におけるステップの特定の順序又は階層を再構成してもよいことは理解されよう。ステップのうち幾つかを同時に実行してもよい。添付の方法請求項では、簡単な順序で様々なステップの要素を提示しているが、提示の特定の順序や階層に限定されることを意味するものではない。
【００４２】
本開示で使用される「上」、「下」、「前」、「後」等の用語は、通常の重力基準系ではなく、任意の基準系を参照していると理解されたい。従って、上面、下面、前面、及び後面は、重力基準系において、上方、下方、斜め、又は水平に延在していてもよい。
【００４３】
「態様」等の表現は、そのような態様が主題の技術に必須である、又は、そのような態様が主題の技術の全ての構成に当てはまることを示唆するものではない。一態様に関する開示は、全ての構成に当てはまりうるし、１つ以上の構成に当てはまりうる。態様等の表現は、１つ以上の態様を示しうるしその逆もありうる。「実施例」等の表現は、そのような実施例が主題の技術に必須である、又は、そのような実施例が主題の技術の全ての構成に当てはまることを示唆するものではない。一実施例に関する開示は、全ての実施例に当てはまりうるし、１つ以上の実施例に当てはまりうる。実施例等の表現は、１つ以上の実施例を示しうるしその逆もありうる。
【００４４】
「例示的」という言葉は、本明細書において、「例又は実例として働く」ことを意味して使用している。本明細書に例示として記載されたあらゆる態様又は設計は、必ずしも、他の態様又は設計よりも好適又は有利なものと解釈されるものではない。
【００４５】
当業者にとって既知の、又は、今後既知となる、本開示を通して記載された様々な態様の要素に対する全ての構造的・機能的均等物は、参照により本明細書に明示的に組み込まれ、特許請求の範囲によって包含されるものである。また、本明細書に開示された何れも、このような開示が特許請求の範囲に明示的に記載されているか否かに係らず、公衆に捧げられることを意図しない。請求項の何れの要素も、該要素が「〜手段（ｍｅａｎｓ  ｆｏｒ）」という表現を使用して明示的に記載されていない限り、あるいは方法請求項の場合には該要素が「〜するステップ（ｓｔｅｐ  ｆｏｒ）」という表現を使用して明示的に記載されていない限り、米国特許法第１１２条第６パラグラフの規定に基づき解釈されるものではない。さらに、「含む」、「有する」等の表現が明細書又は特許請求の範囲において使用される限りにおいて、そのような表現は、「備える」という表現が請求項における移行語として使用される際にそれが包含的（ｉｎｃｌｕｓｉｖｅ）であると解釈されるのと同様に、包含的（ｉｎｃｌｕｓｉｖｅ）であることを意図している。
【００４６】
本明細書に記載の全ての要素、部分、及びステップは、好ましくは含まれる。これらの要素、部分、及びステップの何れも、当業者にとって自明なように、他の要素、部分、及びステップと置換したり、まとめて削除したりしてもよいことは理解されたい。
【００４７】
この文章は、少なくとも、内径及び材料が様々な配管を使用して流体を正確に圧送するシステム及び方法を提示している。本開示のポンプは、可撓性チューブの一部分を圧縮・解放して流体を可撓性チューブに沿って流すように構成されたポンピング機構と、計測装置と、真空装置とを備える。計測装置は、可撓性チューブの内径を測定するように構成され、その値が、ポンプのポンプ流量を較正する際に使用される。真空装置は、可撓性チューブの上記一部分を囲繞する容積における周囲圧力を低下させ、それにより、可撓性チューブがポンピング機構により解放された時に可撓性チューブをその本来の外側径に完全に膨張させるように構成されている。
【００４８】
（概念）
この文章は、少なくとも以下の概念を開示している。
（概念１）
非圧縮時内径（ＩＤ）を有する可撓性チューブの一部分を圧縮・解放して流体を該可撓性チューブに沿って流すように構成されたポンピング機構と、
前記可撓性チューブの前記非圧縮時ＩＤを測定するように構成された計測装置と、
前記可撓性チューブの前記一部分を囲繞する容積における周囲圧力を低下させ、それにより、前記可撓性チューブが前記ポンピング機構により解放された時に前記可撓性チューブを前記非圧縮時ＩＤに膨張させるのを助けるように構成された真空装置と
を備えるポンプ。
（概念２）
医療用流体の点滴を患者に投与するための使い捨てのＩＶセットを受容するように構成された静脈内（ＩＶ）ポンプであり、前記可撓性チューブが、前記ＩＶセットの部品である、概念１に記載のポンプ。
（概念３）
実行可能な命令及びデータを記憶するように構成されたメモリと、
前記メモリ、前記計測装置、及び前記ポンピング機構に連結されたプロセッサであって、前記メモリから前記実行可能な命令を読み出し、前記計測装置から前記非圧縮時ＩＤを受信し、選択された流量の入力を受け付け、前記ポンピング機構を動作させるように構成されたプロセッサと
をさらに備え、
前記プロセッサが、前記非圧縮時ＩＤに応じて前記ポンピング機構の動作を調節して前記選択された流量を与える、概念２に記載のポンプ。
（概念４）
前記ポンピング機構が、非圧縮時ＩＤ及び前記選択された流量を有する配管と関連付けられた動作速度を有し、
前記プロセッサが、前記非圧縮時ＩＤの二乗の、前記計測装置からの前記非圧縮時ＩＤの二乗に対する比により、前記ポンピング機構の前記動作速度を調節する、概念３に記載のポンプ。
（概念５）
前記ポンピング機構、前記計測装置、及び前記真空装置が、範囲内の外側径（ＯＤ）及び未知のＩＤを有する配管を受容するように構成され、前記計測装置及びプロセッサが、自動的に前記配管の前記非圧縮時ＩＤを測定し前記ポンピング機構を動作させて前記選択された流量を与えるように構成されている、概念４に記載のポンプ。
（概念６）
前記計測装置が、
内壁をもつ内側チャネル及びＯＤを有する前記可撓性チューブを受け付けるように構成されたレセプタクルと、
前記可撓性チューブの前記ＯＤを測定し、前記ＯＤの測定値を含む信号を供給するように構成された計測器と、
前記内側チャネルの一方側の前記内壁が前記内側チャネルの他方側の前記内壁と接触するまで前記可撓性チューブを圧縮し、該圧縮された可撓性チューブの残りの壁厚を測定し、該残りの壁厚の測定値を含む信号を供給するように構成された計測器と
を備える、概念１に記載のポンプ。
（概念７）
実行可能な命令及びデータを記憶するように構成されたメモリと、
前記メモリ及び前記計測器に連結されたプロセッサであって、前記メモリから前記実行可能な命令を読み出し、前記ＯＤの測定値及び前記残りの壁厚の測定値を含む信号を受信し、前記外径の測定値から前記残りの壁厚の測定値を減算することによって前記可撓性チューブの前記非圧縮時ＩＤを計算するように構成されたプロセッサと
をさらに備える、概念６に記載のポンプ。
（概念８）
前記計測装置が、カムフォロアに連結された力センサを備える、概念１に記載のポンプ。
（概念９）
前記真空装置が、
前記ポンピング機構を囲繞する真空エンクロージャであって、ベース及び取り外し可能なカバーを有し、前記取り外し可能なカバーが、該取り外し可能なカバーを前記ベースに連結させた時に前記ベースを取り外し可能に封止する周辺を有する、真空エンクロージャと、
前記取り外し可能なカバーの前記周辺に位置付けられた第１及び第２シールであって、前記取り外し可能なカバーを取り外した時に該第１及び第２シールが開いて前記可撓性チューブを前記第１シール、前記ポンピング機構、及び前記第２シールを介して装着するのを可能にするように構成され、前記取り外し可能なカバーを前記ベースに連結させた時に各シールが前記可撓性チューブの周囲に周縁シールを形成するように構成された第１及び第２シールと、
前記真空エンクロージャに連結された真空源であって、前記取り外し可能なカバーを前記ベースに連結させた時に前記真空エンクロージャ内部の周囲圧力を低下させるように構成された真空源と
を備える、概念１に記載のポンプ。
（概念１０）
非圧縮時内径（ＩＤ）を有する可撓性チューブの一部分を圧縮・解放して流体を該可撓性チューブに沿って流すように構成されたポンピング機構と、
前記可撓性チューブの前記一部分を囲繞する容積における周囲圧力を低下させ、それにより、前記ポンピング機構により解放された時に前記可撓性チューブを前記非圧縮時ＩＤに膨張させるように構成された真空装置と
を備えるポンプ
（概念１１）
医療用流体の点滴を患者に投与するために使用される種類の使い捨てのＩＶセットを受容するように構成されたＩＶポンプであり、前記可撓性チューブが、前記ＩＶセットの部品である、概念１０に記載のポンプ。
（概念１２）
実行可能な命令及びデータを記憶するように構成されたメモリと、
前記メモリ、前記計測装置、及び前記ポンピング機構に連結されたプロセッサであって、前記メモリから前記実行可能な命令を読み出し、前記計測装置から前記非圧縮時ＩＤを受信し、選択された流量の入力を受け付け、前記ポンピング機構を動作させるように構成されたプロセッサと
をさらに備え、
前記プロセッサが、前記非圧縮時ＩＤに応じて前記ポンピング機構の動作を調節して前記選択された流量を与える、概念１０に記載のポンプ。
（概念１３）
前記ポンピング機構が、非圧縮時ＩＤ及び前記選択された流量を有する配管と関連付けられた動作速度を有し、
前記プロセッサが、前記非圧縮時ＩＤの二乗の、前記計測装置からの前記非圧縮時ＩＤの二乗に対する比により、前記ポンピング機構の前記動作速度を調節する、概念１２に記載のポンプ。
（概念１４）
前記真空装置が、
前記ポンピング機構を囲繞する真空エンクロージャであって、ベース及び取り外し可能なカバーを有し、前記取り外し可能なカバーが、該取り外し可能なカバーを前記ベースに連結させた時に前記ベースを取り外し可能に封止する周辺を有する、真空エンクロージャと、
前記取り外し可能なカバーの前記周辺に位置付けられた第１及び第２シールであって、前記取り外し可能なカバーを取り外した時に該第１及び第２シールが開いて前記可撓性チューブを前記第１シール、前記ポンピング機構、及び前記第２シールを介して装着するのを可能にするように構成され、前記取り外し可能なカバーを前記ベースに連結させた時に各シールが前記可撓性チューブの周囲に周縁シールを形成するように構成された第１及び第２シールと、
前記真空エンクロージャに連結された真空源であって、前記取り外し可能なカバーを前記ベースに連結させた時に前記真空エンクロージャ内部の周囲圧力を低下させるように構成された真空源と
を備える、概念１０に記載のＩＶポンプ。
（概念１５）
非圧縮時内径（ＩＤ）を有する可撓性チューブの一部分を圧縮・解放して流体を該可撓性チューブに沿って流すように構成されたポンピング機構と、
前記可撓性チューブの前記非圧縮時ＩＤを測定するように構成された計測装置と
を備えるポンプ。
（概念１６）
医療用流体の点滴を患者に投与するために使用される種類の使い捨てのＩＶセットを受容するように構成されたＩＶポンプであり、前記可撓性チューブが、前記ＩＶセットの部品である、概念１５に記載のポンプ。
（概念１７）
前記計測装置が、
内壁をもつ内側チャネル及びＯＤを有する前記可撓性チューブを受け付けるように構成されたレセプタクルと、
前記可撓性チューブの前記ＯＤを測定し、前記ＯＤの測定値を含む信号を供給するように構成された計測器と、
前記内側チャネルの一方側の前記内壁が前記内側チャネルの他方側の前記内壁と接触するまで前記可撓性チューブを圧縮し、該圧縮された可撓性チューブの残りの壁厚を測定し、該残りの壁厚の測定値を含む信号を供給するように構成された計測器と
を備える、概念１６に記載のポンプ。
（概念１８）
実行可能な命令及びデータを記憶するように構成されたメモリと、
前記メモリ及び前記計測器に連結されたプロセッサであって、前記メモリから前記実行可能な命令を読み出し、前記ＯＤの測定値及び前記残りの壁厚の測定値を含む信号を受信し、前記ＯＤの測定値から前記残りの壁厚の測定値を減算することによって前記可撓性チューブの前記非圧縮時ＩＤを計算するように構成されたプロセッサと
をさらに備える、概念１７に記載のポンプ。
（概念１９）
内径が未知の可撓性チューブを使用して流体を圧送する方法であって、
可撓性チューブの一部分がポンピング機構に連結されるように前記可撓性チューブをポンプ内に載置するステップであって、前記ポンピング機構が、前記可撓性チューブの前記一部分を操作して流体を前記可撓性チューブに沿って流すように構成されている、ステップと、
前記可撓性チューブのＯＤを自動的に測定するステップと、
内側チャネルの内壁が前記内側チャネルの他方側の内壁と接触するまで前記可撓性チューブを自動的に圧縮するステップと、
前記あっしゅくされた可撓性チューブの残りの厚さを自動的に測定するステップと、
前記ＯＤから前記残りの厚さを減算することによって前記可撓性チューブの非圧縮時ＩＤを自動的に計算するステップと、
流体を特定の流量で圧送するように前記ポンピング機構の動作パラメータを自動的に調節するステップと
を含む方法。
（概念２０）
前記及び前記可撓性配管の前記一部分の周囲の封止された真空エンクロージャに空気を送るステップと、
前記真空エンクロージャ内の圧力を低下させるステップと、
前記ポンピング機構を作動させて前記可撓性チューブの前記一部分を操作するステップと
をさらに含む、概念１９に記載の方法。
（概念２１）
内径が未知の可撓性チューブを使用して流体を圧送する方法であって、
可撓性チューブの一部分がポンピング機構に連結されるように前記可撓性チューブをポンプに装着するステップであって、前記ポンピング機構が、前記可撓性チューブの前記一部分を操作して流体を前記可撓性チューブに沿って流すように構成されている、ステップと、
前記ポンピング機構及び前記可撓性配管の前記一部分の周囲に封止された真空エンクロージャを形成するステップと、
前記真空エンクロージャ内の圧力を低下させるステップと、
前記ポンピング機構を作動させて前記可撓性チューブの前記一部分を操作するステップと
を含む方法。
【図１】
2014505538.tif 000003
【図４】
2014505538.tif 000004
【図５】
2014505538.tif 000005
【図６Ａ】
2014505538.tif 000006
【図６Ｂ】
2014505538.tif 000007
【図９】
2014505538.tif 000008
【図１０Ａ】
2014505538.tif 000009
【図１０Ｂ】
2014505538.tif 000010
【図１１Ｃ】
2014505538.tif 000011
【図１２】
2014505538.tif 000012
【図１３】
2014505538.tif 000013
【図２】
2014505538.tif 000014
【図３Ａ】
2014505538.tif 000015
【図３Ｂ】
2014505538.tif 000016
【図７Ａ】
2014505538.tif 000017
【図７Ｂ】
2014505538.tif 000018
【図８】
2014505538.tif 000019
【図１１Ａ】
2014505538.tif 000020
【図１１Ｂ】
2014505538.tif 000021
【図１４】
2014505538.tif 000022
【図１５】
2014505538.tif 000023
【国際調査報告】
2014505538.tif 000024
2014505538.tif 000025
2014505538.tif 000026